(57)【要約】【課題】建物の屋内側に気密層を形成するに際し、躯体を構成する構造部材を利用することで施工が簡単で且つ後工程の作業に支障をきたさないようにする。【解決手段】住宅の躯体を構成する梁１、柱２、床スラブ３を含む構造部材と該構造部材の周囲に配置された気密性を有する断熱材４、５とを、気密テープ１０、パッキン材３６、現場発泡の断熱材、シーリング材等からなる気密材によって接続することで、構造部材を介して気密層を連続させる。【選択図】　　　　　　　　図１
2004076314.tif 000002
【特許請求の範囲】
【請求項１】
住宅の躯体を構成する構造部材と該構造部材の周囲に配置された気密性を有する断熱材とを気密材によって接続することで、構造部材を介して気密層を連続させることを特徴とする住宅の気密構造。
【発明の詳細な説明】
【０００１】
【発明の属する技術分野】
本発明は、躯体を構成する構造部材を利用して気密層を連続させた住宅の気密構造に関するものである。
【０００２】
【従来の技術】
住宅では、建物の屋内側に気密層を形成するのが一般的である（例えば、特開２００１−１２３５５１号公報）。特に、鉄骨躯体を有する住宅では、躯体を構成する柱及び梁の間に形成された空間、又は梁と梁の間に形成された空間に断熱材を充填すると共に、柱及び梁を含む屋内側の面をポリエチレンシート等の気密シートで覆うことで、建物の外壁と屋根，天井に沿った断熱層と気密層を形成している。
【０００３】
建物の屋内側の面に沿って形成された気密層は、柱と柱、梁と梁の間に形成された空間に所定の間隔を持って複数の下地を配置し、この下地に釘やステープル等を利用して気密シートを取り付けることで構成されている。従って、柱，梁を含む屋内側の面には全面にわたって気密シートが設けられることになる。
【０００４】
【発明が解決しようとする課題】
上記の如くして建物の屋内側の面に沿って気密層を形成する場合、躯体を構成する柱と梁の間に複数の下地を設置する必要があることから、これらの下地を施工する際の手間が掛かるという問題や、柱，梁を含む屋内側の全面に気密シートが施工されることによって、後工程である内壁の下地パネルを設置する作業や天井の下地を設置する作業に支障をきたし易いという問題がある。
【０００５】
また気密シートを施工して気密層を形成した場合、複雑な部位断面のため施工が困難な部位や、電線，通信線等の配線類や上下水道管等の配管類或いは設備が貫通する部分の隙間の処理が難しく、また電線類や配管類等を貫通させたとき、この貫通部と気密シートを連続させて気密性を確保するのが困難であるという問題がある。また柱と梁の接合部等に於いて気密シートを先に貼っておく必要が生じ、手間がかかるという問題もある。
【０００６】
本発明の目的は、躯体を構成する構造部材を利用して気密層を形成する際に、施工が簡単で且つ後工程の作業に支障をきたすことのない住宅の気密構造を提供することにある。
【０００７】
【課題を解決するための手段】
上記課題を解決するために本発明に係る住宅の気密構造は、住宅の躯体を構成する構造部材と該構造部材の周囲に配置された気密性を有する断熱材とを気密材によって接続することで、構造部材を介して気密層を連続させるものである。
【０００８】
上記住宅の気密構造では、住宅の躯体を構成する柱や梁を含む構造部材の周囲に気密性を有する断熱材を配置し、この構造部材と気密性を有する断熱材とを気密性を持った気密材によって接続することで、構造部材と断熱材とを気密性を確保して連続させることが出来る。従って、建物の屋内側に外壁に沿って配置された柱，梁、屋根、天井に沿って配置された梁及び断熱材からなる連続した気密層を形成することが出来る。
【０００９】
【発明の実施の形態】
以下、本発明に係る気密構造の好ましい実施形態について説明する。本発明に係る住宅の気密構造は、住宅の躯体を構成する柱や梁等からなる構造部材と、これらの構造部材の周囲に配置された気密性を有する断熱材（以下単に、断熱材という）を気密材によって接続することで、建物の屋内側に連続した気密層を形成したものである。
【００１０】
即ち、外壁に沿って配置された柱や梁に、断熱材の端面を近接又は当接させて両者を気密材によって接続し、更に、屋根に沿って配置された梁に断熱材の端面を近接又は当接させて両者を気密材によって接続することで、建物の屋内側に連続した気密層を形成したものである。
【００１１】
本発明に係る住宅では、外壁の屋内側の面には該外壁に沿って断熱材と躯体を構成する柱や梁を含む構造部材とを連続させて形成した気密層、屋根の室内側には該屋根面に沿って断熱材と躯体を構成する梁を含む構造部材とを連続させて形成した気密層が構成されている。
【００１２】
このように、躯体を構成する構造部材を気密層を構成するための構成部材として利用することによって、該構造部材が熱橋となって断熱性を阻害する虞がある。このため、高い断熱性を確保することが必要となる。
【００１３】
例えば、構造部材が柱であるような場合、柱と外壁との間に該柱の幅よりも充分に幅の広い断熱材を配置し、この断熱材と柱の周囲に配置された断熱材とを接続することで、連続した断熱層を形成することが好ましい。また構造部材が梁である場合、梁の屋内側の面に添わせて断熱材を配置し、この断熱材と柱の周囲に配置された断熱材を接続することで、連続した断熱層を形成することが好ましい。
【００１４】
特に、１階と２階の間に配置された梁のように、階層間に配置された梁の場合、該梁を構成するウエブに沿わせて断熱材を配置すると共に該断熱材と梁とを気密材によって接続することで、高い断熱性を有する連続した断熱層を形成することが可能である。即ち、構造部材の外壁側に、或いは室内側に連続した断熱層を形成することが好ましい。更に、より高い断熱性が要求されるような場合、梁を構成するフランジを断熱材によって覆うことが好ましい。
【００１５】
上記の如くして躯体を構成する構造部材と、該構造部材の周囲に配置された断熱材を気密材によって連続させることで、高い気密性と断熱性を持った住宅を実現することが可能である。
【００１６】
本発明に於いて、住宅の躯体を構成する構造部材としては、角パイプからなる柱、Ｈ形鋼からなる梁、階段等の枠材、更に、窓や扉等の開口部を構成する開口枠、基礎や床スラブ或いは床スラブに固定した床下地材等がある。従って、前記構造部材を構成する材料は、形鋼を中心とする鋼材、コンクリートやモルタル或いは木材等にわたる。
【００１７】
上記の如き構造部材は、材料となる鋼材やコンクリートが充分に高い気密性を保持しており、これらの材料からなる構造部材を介して気密性を有する断熱材を接続することで、高い信頼性を持った気密層を形成することが可能となる。特に、構造部材が躯体を構成する鉄骨であり、気密材として接着性を有する気密テープである場合、鉄骨は接着性が良く気密テープの接着を安定した状態で維持することが可能であり、且つ木材の如き径年変化による寸法の狂いがなく、気密性に重大な影響を及ぼすような隙間が形成されることがないため、極めて好ましい。
【００１８】
上記構造部材に、該構造部材の周囲に配置された断熱材を接続する場合、構造部材の何れの面を利用するかを限定するものではない。一般的には、柱の場合は縦方向の側面であり、梁の場合は水平方向のフランジ面及びウエブ面である。
【００１９】
気密性を有する断熱材としては、材料を特に限定するものではなく、構造部材と接続される際に用いる気密材との関係も考慮する必要がある。例えば、気密材が弾性を有するパッキン材であるような場合、この気密材を構造部材の所定位置に配置すると共に断熱材をパッキン材に対して圧接させることが必要となる。この場合、断熱材は、長期間圧接状態を保持し得る程度に適度な硬度と充分に高い気密性と断熱性を有することが必要である。このような断熱材としては、硬質ウレタンフォームや押出発泡ポリスチレン或いはフェノール樹脂発泡体等の成形体や発泡体を含む硬質プラスチック系断熱材があり、何れも利用することが可能である。
【００２０】
また気密材が金属フィルムや合成樹脂フィルムの一方の面に接着剤或いは粘着材を塗布して形成された気密テープであるような場合、断熱材として必ずしも高い硬度を有する必要はない。しかし、このような断熱材として硬質ウレタンフォームや押出発泡ポリスチレン或いはフェノール樹脂発泡体等の成形体や発泡体を含む硬質プラスチック系断熱材を選択的に利用することが可能である。
【００２１】
例えば、硬質ウレタンフォームや押出発泡ポリスチレンでは、厚さを選択することによって、住宅として充分な断熱性能と気密性能を発揮させることが可能であり、且つ弾性を有するパッキン材に圧接させで気密性を発揮するに耐える硬度を有している。
【００２２】
しかし、硬質ウレタンフォームでは、経時的な断熱性能の低下や、火災時に爆燃性を有することや有毒ガスを発生するという課題を有し、発泡ポリスチレンでは、耐薬品性に劣るため、気密処理材が限定されることや燃え易いという課題も有する。
【００２３】
またフェノール樹脂発泡体からなる断熱材としては、本件出願人が開発して既に国際出願（特願２０００−５５８１５８）した技術（ネオマフォーム（登録商標））があり、断熱材として好ましく使用することが可能で、且つ気密材としても好ましく使用することが可能である。
【００２４】
上記技術に係るフェノール樹脂発泡体は、フェノール樹脂基体部と、多数の微細気泡から形成される気泡部とを有する密度が１０ｋｇ／ｍ３〜１００ｋｇ／ｍ３のフェノールフォームであり、前記微細気泡が炭化水素を含有し且つ平均気泡径が５μｍ〜２００μｍの範囲にあり、大部分の微細気泡の気泡壁が滑らかなフェノール樹脂基体面で構成されている。そして、発泡剤が炭化水素であるにも関わらず、従来のフロン系発泡剤と遜色のない熱伝導率を持ち、且つ熱伝動率の経時的な変化もなく、圧縮強度等の機械的強度に優れ、脆性が改善される。
【００２５】
上記フェノール樹脂発泡体では、高い断熱性と気密性を有し、且つこれらの性能を長期間維持し得る性質を有している。フェノール樹脂発泡体に於ける断熱性は、気泡径が５μｍ〜２００μｍの範囲、好ましくは１０μｍ〜１５０μｍと小さく、且つ独立気泡率を８０％以上と高く保持することによって確保することが可能である。またフェノール樹脂発泡体は高い耐燃焼性を有しており、火炎が作用したとき、表面が炭化することで、着火することがなく、且つガスが発生することがない。
【００２６】
例えば、フェノール樹脂発泡体の密度を２７ｋｇ／ｍ３に設定した場合、２０℃に於ける熱伝動率は０．０２Ｗ／ｍ・Ｋであり、圧縮強さは１５Ｎ／ｃｍ２、熱変形温度は２００℃である。前記フェノール樹脂発泡体の性能は、押出発泡ポリスチレン３種が熱伝動率；０．０２８Ｗ／ｍ・Ｋ、圧縮強さ；２０Ｎ／ｃｍ２、熱変形温度；８０℃であることや、硬質ウレタンフォーム２種が熱伝動率；０．０２４Ｗ／ｍ・Ｋ、圧縮強さ；８Ｎ／ｃｍ２、熱変形温度；１００℃であることと比較して充分に高い性能を有する。
【００２７】
このため、フェノール樹脂発泡体からなる断熱材では、従来の押出発泡ポリスチレンや硬質ウレタンフォームの約２／３程度の厚さで略同等の断熱性能を発揮することが可能である。
【００２８】
またフェノール樹脂発泡体は、比較的脆い材料であるため、少なくとも片面にクラフト紙や不織布からなる保護層を設けるのが一般的である。特に、本件出願人が開発して特許出願している特開平１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度、断熱性共に優れた建築用断熱材料として提供されるものである。
【００２９】
上記の如くフェノール樹脂発泡体の表裏面に保護層を設けた積層板からなる断熱材は、端面（小口面）はフェノール樹脂基体面が露出した状態となっている。このため、表裏面は保護層を構成する不織布を利用して貼着テープや貼着シートを貼り付けることが可能であるが、小口面は表裏面に比較して他の部材を貼着することが困難である。
【００３０】
またフェノール樹脂発泡体の表裏面に不織布による保護層を設けた断熱材では、脆さが改善されて曲げ強度や引っ張り強度が向上する。このため、幅の狭い場所に配置されたとき、自立して、断熱材及び気密材としての機能を充分に発揮することが可能である。特に、幅が１ｍ程度の狭い場所に配置されたとき、端面がパッキン材に圧接して自立することが可能であり有効である。
【００３１】
構造部材と該構造部材の周囲に配置された断熱材を接続する気密材として、材料を特に限定するものではない。即ち、構造部材と断熱材を気密性を保持して接続する機能を有するものであれば利用することが可能であり、このような気密材として、適度な弾性を有するパッキン材や、金属フィルムや金属シート、或いは合成樹脂フィルムや合成樹脂シートの一方の面に接着剤或いは粘着材を塗布して形成された気密テープ等があり、夫々構造部材と断熱材との接続部位の寸法や面積或いは形状等の条件に応じて選択することが好ましい。
【００３２】
例えば、パッキン材は弾性と気密性を有し、構造部材に対し充分な強度を持って固着し得ることが必要である。パッキンとしては、前記条件を満たすものであれば用いることが可能であり、材質や形状を限定するものではない。このようなパッキン材としては、ＥＰＤＭゴムからなる中空状に成形されたものが提供されており、このパッキン材を好ましく使用することが可能である。
【００３３】
上記パッキン材を利用する場合、このパッキン材は予め断熱材の小口面か構造部材の断熱材と対峙する位置に固着されている。一般に、前述した硬質ウレタンフォームや押出発泡ポリスチレン或いはフェノール樹脂発泡体等の硬質プラスチック系断熱材では、好ましい接着性を有するものが少ない。このため、パッキン材は予め構造部材に固着しておくことが好ましい。即ち、構造部材が柱である場合、パッキン材は、梁の間に起立して取り付けられた柱の側面であって、該柱に相対して起立する断熱材の位置に対応して固着されている。
【００３４】
パッキン材を構造部材に固着するに際し、パッキン材を如何なる方法で固着するかは限定するものではなく、ビス等による機械的な方法や接着による方法等のなかから、構造部材の材質や形状、パッキン材の材質や形状等の条件を考慮して適宜選択して施工することが好ましい。
【００３５】
例えば、構造部材が鋼材であり、パッキン材がＥＰＤＭゴムからなる中空状の部材であるような場合、両者を接着剤によって接着することで固着することが可能である。この場合、接着剤としては、ブチルゴム接着剤を利用することが好ましい。
【００３６】
上記の如く、パッキン材を介して断熱材と構造部材とを連続させたとき、断熱材の面内方向に作用する力は、該断熱材をパッキン材に圧接させたときに発生するパッキン材の反発力となる。このため、断熱材と構造部材とを連続させることが可能な柱，柱間の寸法はあまり大きなものではないことが好ましい。
【００３７】
また金属フィルムや金属シート、或いは合成樹脂フィルムや合成樹脂シートの一方の面に接着剤或いは粘着材を塗布して形成された気密テープ等は、高い気密性を有し、且つ高い柔軟性と強度及び取り扱いの容易性を兼ね備えている。このため、構造部材と断熱材との接続部位が作業員の手が入らないような部位を除いて如何なる部位でも利用することが可能であり、高い対応性を有している。
【００３８】
また気密材として現場発泡のウレタン系断熱材がある。この断熱材は、構造部材と該構造部材の周囲に配置された断熱材との交差部位に原液を吹きつけて発泡させることで、構造部材と断熱材とを気密性を保持して接続するものである。このため、特殊な断面形状を持った構造部材に対して断熱材を接続するような場合に、両者の接続部位の形状や寸法等の条件に関わらず、気密性を保持すると共に断熱性を保持して接続することが可能である。
【００３９】
更に、気密材としてはシーリング材を利用することも可能である。このシーリング材は、ゴム系或いは合成樹脂系の不定形な材として形成されており、構造部材と断熱材の小口面との間に形成された隙間に押出充填されて気密性を保持する機能を有するものである。このシーリング材は、コンクリート或いはモルタルを材料とする基礎や床スラブのような構造部材の周囲に配置された断熱材を接続する際に利用すると有利である。この場合、断熱材は、構造部材と近接又は当接する端部以外の端部側で躯体或いは他の部材に固定されることが好ましい。
【００４０】
また構造部材の表面に凹凸（例えば、柱に形成された脚部や、梁に形成された床パネルを支持するための支持部材等）が形成されているような場合、この凹凸面を平滑化するための下地材や、凹凸部を含む断面形状を単純化するための下地材を用いることが好ましいが、このような下地材も、本発明の気密材に含まれるものとする。
【００４１】
次に、上記気密構造の好ましい実施例について図を用いて説明する。図１は本実施例に係る気密構造の構成を説明する図である。図２は外壁に沿って配置された断熱材と屋根に沿って配置された断熱材と梁との関係を説明する図である。図３は階層間に於ける梁と断熱材との関係を説明する図である。図４は屋根に沿って配置された断熱材と柱及び梁との関係を説明する図である。図５は屋根に沿って配置された断熱材と梁との関係を説明する図である。図６は外壁に沿って配置された断熱材と床との関係を説明する図である。図７は外壁に沿って配置された断熱材と柱との関係を説明する図である。
【００４２】
住宅の躯体は、図１〜図４に示す梁１、図７に示す柱２、図６に示す床スラブ３、及び図示しない基礎や階段等を含んで構成されている。これらの梁１、柱２、床スラブ３及び基礎や階段等の周囲には断熱材４、５が配置されて、夫々最適な気密材を用いて気密性を保持して接続され、これにより、建物の屋内側に外壁及び屋根に沿った断熱性を有する気密層が形成されている。
【００４３】
尚、本実施例では、主として外壁に沿って配置される断熱材４として、表裏面が合成樹脂繊維からなる不織布で形成された厚さ約２５ｍｍのフェノール樹脂発泡体の積層体を用いており、主として屋根に沿って配置される断熱材５として前記断熱材と同様に構成され厚さ約４０ｍｍのフェノール樹脂発泡体の積層体を用いている。
【００４４】
このように、断熱材４、５の厚さは、躯体を構成する構造部材となる梁１のフランジ１ａやウエブ１ｂの寸法、柱２の太さと比較して充分に小さい。このため、断熱材４、５の梁１、柱２に対する対向位置を所望の位置に設定することが可能となり、梁１のせい、柱２の太さの範囲で壁内の空間、天井の空間の寸法を選択することが可能となる。このため、壁内や天井に電線類や配管類を設置する際の自由度を向上させることが可能である。
【００４５】
先ず、下層階と上層階の中間に配置された構造部材としての梁１、屋根に沿って配置された構造部材としての梁１の周囲に配置された断熱材４、５を接続する構造について図１〜図５により説明する。
【００４６】
建物の外周部に配置された梁１には外壁材が取り付けられており、また建物の最上部に配置された梁１には屋根材が取り付けられている。本実施例では、外壁には外壁用の軽量気泡コンクリート（ＡＬＣ）パネルからなる外壁パネル６を用いており、複数の外壁パネル６を梁１に取り付けた図示しない自重受け金具やイナズマプレート等の金物を利用して連続して取り付けることで外壁を構成している。また屋根には屋根用のＡＬＣパネルからなる屋根パネル７を用いており、複数の屋根パネル７を梁１の上部に敷き並べて図示しない取付金物や鉄筋等を利用して取り付けることで屋根を構成している。
【００４７】
上記ＡＬＣパネルは、軽量で且つ高い断熱性能を有するため外壁パネル６として好ましく用いることが可能である。特に、外壁にＡＬＣパネルを用いると共に屋内側に空気層を形成することによって、高い断熱性能を発揮することが可能であり、且つ共鳴透過現象を防止することが可能となり、遮音性能が向上するという効果も有する。
【００４８】
断熱材４は、外壁パネル６の屋内側の面に沿って配置され、図７に示すように、外壁パネル６との間に配置された薄板からなる断熱材８を介して該外壁パネル６に固定されている。従って、外壁パネル６と断熱材４との間には間隙９が形成され、該間隙９が床下から屋根裏空間に至る空気層としての機能を発揮し得るように構成されている。
【００４９】
外壁パネル６に沿って配置された断熱材４が、断熱材８を介して外壁パネル６に固定され、且つ断熱材４自体が気密性を有するため従来のように気密シートを施工する必要がなく、後述するように、断熱材４を施工した後、木下地パネル１６を取り付ける作業が容易となる。
【００５０】
断熱材４の長さは、配置される空間の長さと等しく形成されており、上下両端部が夫々構造部材となる梁１、床スラブ３に接続し得るように形成されている。従って、断熱材４を外壁パネル６に沿って配置すると共に外壁パネル６に固定したとき、上下方向の端面（小口面）は夫々梁１の下側のフランジ１ａと床スラブ３に近接又は当接する。
【００５１】
梁１の下側のフランジ１ａの周囲に配置されて該フランジ１ａに断熱材４の小口面が近接或いは当接することによって、該断熱材４の端部表面はフランジ１ａに略直交する姿勢を保持する。このため、図に示すように、断熱材４の端部表面とフランジ４ａとの交差部に気密テープ１０を貼り付けて該交差部を塞ぐことで、断熱材４と梁１を気密性を保持して連続させることが可能である。
【００５２】
建物の最上部に配置された梁１には複数の屋根パネル７が敷き並べれて固定されており、この屋根パネル７によって屋根スラブが構成されている。そして隣接する梁１によって構成される空間には、屋根用の断熱材５が配置されている。即ち、躯体を構成する梁１の周囲には断熱材５が配置されている。
【００５３】
図２，５に示すように、梁１のウエブ１ｂに複数の木下地１１が所定の間隔を持って取り付けられており、この木下地１１の下面側に断熱材５が釘或いはビス等の固定具によって固定されている。そして所定枚数の断熱材５を配置して木下地１１に固定したとき、梁１に隣接した断熱材５の小口面がウエブ１ｂに近接又は当接する。
【００５４】
断熱材５の小口面が梁１のウエブ１ｂに近接又は当接することによって、該断熱材５の端部表面はウエブ１ｂに対し略直交して交差する。このため、断熱材５の端部表面とウエブ１ｂとの交差部に気密テープ１０を貼り付けて該交差部を塞ぐことで、断熱材５と梁１を気密性を保持して連続させることが可能である。
【００５５】
上記の如く、梁１の下側のフランジ１ａに近接又は当接した断熱材４との交差部を気密テープ１０で塞ぎ、ウエブ１ｂに近接又は当接した断熱材５との交差部を気密テープ１０で塞ぐことで、梁１の周囲に配置された断熱材４，５と気密性を保持して接続することで連続した気密層を構成することが可能である。
【００５６】
しかし、梁１の下側のフランジ１ａ、ウエブ１ｂが断熱材によって覆われる保証はなく、該梁１が熱橋となる虞があり、また図３に示すように、フランジ１ａ，ウエブ１ｂに穴１ｃが形成される場合、該穴１ｃを塞がないと気密性を保持し得ない。このため、図１，図３（ａ）に示すように、下層階と上層階の間に配置された梁１では、ウエブ１ｂに比較的薄い断熱材１２を添わせて穴１ｃを塞ぎ、該断熱材１２を気密テープ１０によって貼り付けることで、フランジ１ａ，ウエブ１ｂに形成された穴１ｃを塞いで気密性を保持すると共に断熱性を確保することが可能である。
【００５７】
更に、より高い断熱性が要求される場合、図３（ｂ）に示すように、フランジ１ａに断熱性を有する保護材１３を取り付けて該保護材１３を断熱材４，１２に接続することで、梁１の屋内側の面を断熱材４，１２及び保護材１３によって覆うことで、梁１の周囲に連続した気密層と断熱層を形成することが可能である。
【００５８】
また屋根パネル７に沿って配置された梁１の間に断熱材５を取り付けたとき、該断熱材５の屋内側の面５ａと梁１の下側のフランジ１ａとの間に空間が形成されるような場合、図４に示すように、ウエブ１ｂに於ける前記空間に対応する部位に断熱材１２を添わせ、該断熱材１２の屋内側の面と断熱材５との交差部に気密テープ１０を貼り付けると共に、フランジ１ａに断熱性を有する保護材１４を取り付けて該保護材１４を断熱材４，５に接続することで、梁１の屋内側の面を断熱材４，１２及び保護材１３によって覆うことで、穴１ｃを塞いで気密性を確保すると共に、梁１の周囲に連続した気密層と断熱層を形成することが可能である。
【００５９】
更に、図５に示すように、外壁から離隔した部位に配置された梁１では、フランジ１ａの両側に断熱性を有する保護材１５を取り付けて該保護材１５を断熱材５及び対向する保護材１５に接続することで、梁１を断熱材５及び保護材１５によって覆うことで、梁１の周囲に連続した気密層と断熱層を形成することが可能である。
【００６０】
尚、図１，図２に於いて、１６は石膏ボード等の内装下地１７を取り付けるための木下地パネルであり、固定金物１８，木下地１９を介して断熱材４に固定されている。また２０は木下地パネル１６の上端部に固定され天井下地であり、下側の面に石膏ボード等の天井内装材２１を取り付けている。
【００６１】
次に、躯体を構成する構造部材となる床スラブ３に、該床スラブ３の周囲に配置された断熱材４を接続する構成について図６により説明する。
【００６２】
図６（ａ）は１階の床スラブ３と断熱材４とを接続する構成を説明する図であり、同図（ｂ）は２階以上の階層の床スラブ３と断熱材４とを接続する構成を説明する図である。各図に於いて、床スラブ３は床用のＡＬＣパネルからなる床パネル２５を利用しており、複数の床パネル２５を図示しない基礎梁上に敷き並べると共に固定することで構成されている。また外壁パネル６と床パネル２５との間に形成された隙間にはモルタル２６が充填されている。
【００６３】
同図（ａ）に示すように、１階の床スラブ３の上面（屋内側の面）であって外壁パネル６に沿った位置には、該外壁パネル６に沿って配置された断熱材４の下側の小口面が近接又は当接している。また断熱材４の内側で木下地パネル１６を設置する位置には、該木下地パネル１６に沿って合板２７が設置され、該合板２７よりも屋内側に対応する床スラブ３には略全面にわたって比較的薄い断熱材２９が敷き込まれている。
【００６４】
従って、外壁パネル６に沿って配置された断熱材４と合板２７とは互いに表面が直交するように交差し、合板２７と断熱材２９は互いに表面が同一平面内に配置される。そして断熱材４と合板２７、合板２７と断熱材２９との継目に気密テープ１０を貼り付けることで、各継目が塞がれることで気密性を保持している。
【００６５】
上記の如く構成された１階の床スラブ３では、外壁パネル６に沿って配置された断熱材４と床スラブ３に配置された合板２７とが気密テープ１０によって気密を保持して接続され、更に、床スラブ３上に配置した合板２７，断熱材２９が夫々継目を気密テープ１０で気密を保持して接続されるため、１階の床と１階の外壁パネル６に沿って配置された断熱材４とを連続した気密層として形成することが可能となる。
【００６６】
同図（ｂ）に於いて、外壁パネル６に沿って配置され、小口面が床スラブ３を構成する床パネル２５に近接又は当接した断熱材４が配置されている。床スラブ３の上面には、セルフレベリング材３０が施工され、該セルフレベリング材３０によって断熱材４と床パネル２５とが気密性を保持して接続されている。
【００６７】
上記の如く、躯体を構成する梁１、床面を構成する合板２７を気密性を保持して接続する場合、これらの交差部が比較的広い空間に向けて露出しているため、気密テープ１０を利用して容易に接続することが可能である。
【００６８】
尚、上記実施例では、１階の床スラブ３と２階以上の床スラブ３の仕上仕様が異なる場合としているが、この仕上仕様に限定するものではなく、１階の床３にセルフレベリング材３０を施工しても良い。しかし、この場合であっても、セルフレベリング材３０の上面に比較的薄い断熱材２９を敷き込んで外壁パネル６に沿って配置された断熱材４と接続し、両者の継目に気密テープ１０を貼り付けることで気密性を確保することが可能である。
【００６９】
また柱２の脚部が凹凸を有する形状で形成されている場合であって、該脚部がモルタル２６から露出しているような場合、この脚部の周囲を図示しない気密下地材によって塞ぐと共に、該気密下地材と断熱材４との継目、気密下地材と合板２７或いはセルフレベリング材３０との継目を夫々気密テープ１０を貼り付けて塞ぐことで連続した気密層を形成することが可能である。
【００７０】
次に、上記の如く、耐震要素を取り付けた柱２と、該柱２の周囲に配置された断熱材４を接続する構成について図７により説明する。図に於いて、柱２の一方の側面２ａには何者も取り付けられず、他方の側面２ｂには耐震要素３５が取り付けられている。
【００７１】
柱２の側面２ａには、外壁パネル６に沿って配置された断熱材４の小口面が近接又は当接しており、側面２ａと断熱材４の端部表面が直交して交差している。従って、この状態は梁１の下側のフランジ１ａに対する断熱材４の接続と同様であり、柱２の側面２ａと断熱材４との交差部に気密テープ１０を貼り付けて塞ぐことで、気密性を保持して接続することが可能である。
【００７２】
柱２の側面２ｂには予め気密性を有するパッキン材３６が固着されており、このパッキン材３６に断熱材４の小口面を圧接させ、このとき発生する力によって断熱材４が保持されている。パッキン材３６はＥＰＤＭゴムからなる弾性と高い気密性を持った中空状の部材として形成されており、断熱材４が圧接したとき変形し、このときの力を断熱材４に対する保持力として作用させることとが可能である。
【００７３】
上記の如く、パッキン材３６を介して断熱材４を柱２の側面２ｂに接続した場合であっても、パッキン材３６が充分な気密性を有し、且つ断熱材４がパッキン材３６に圧接することから、高い気密性を発揮することが可能である。
【００７４】
また断熱材４の端部が外壁パネル６の内面に配置した断熱材８と接触することで断熱機能を連続させることが可能である。特に、断熱材４の小口面をパッキン材３６に圧接させた状態で、端部を断熱材８に当接させると共に断熱材４の屋内側に配置した合板１９を介して図示しないビス等を打ち込むことで、断熱材８を介して外壁パネル６に固定することが好ましい。このようにビスを利用して断熱材４を断熱材７を介してＡＬＣパネル２に固定することで、柱２を迂回して断熱材４，８を連続させることが可能となり、高い断熱性と気密性を保持することが可能となる。
【００７５】
更に、例えば梁１の側面２ｂにパッキン材３６を固着し得ないような場合、該側面３６に断熱材４の小口面を近接又は当接させた状態で、交差部に現場発泡の断熱剤を吹き付けて発泡させることで、該交差部を塞いで気密性を保持して接続することが可能である。
【００７６】
また躯体の構成部材となる図示しない基礎に断熱材４の小口面を近接又は接近させて直接接続しようとしたとき、コンクリート面に気密テープが接着し得ないことがある。この場合、基礎の表面と断熱材４の小口面との間に形成された隙間にシーリング材を充填することで、該隙間を塞いで気密性を保持して接続することが可能である。
【００７７】
上記の如く、住宅の躯体を構成する構造部材となる梁１、柱２、床スラブ３の周囲に配置された断滅材４，５を気密テープ１０、パッキン材３６、現場発泡の断熱材やシーリング材を利用して接続することで、建物の屋内側に全周にわたる気密層を形成することが可能である。
【００７８】
更に、１階を構成する床スラブ３の上面に断熱材２８，２９が設けられることによって、建物の屋内側に全周にわたる断熱層を形成することが可能である。即ち、本実施例の住宅では、躯体を構成する構造部材を利用して連続した気密層を形成すると共に断熱層を形成することが可能となる。
【００７９】
【発明の効果】
以上詳細に説明したように本発明に係る住宅の気密構造では、住宅の躯体を構成する柱や梁を含む構造部材の周囲に気密性を有する断熱材を配置し、この構造部材と気密性を有する断熱材とを気密性を持った気密材によって接続することで、構造部材と断熱材とを気密性を確保して連続させることが出来る。このため、建物の屋内側に屋根に沿って且つ外壁に沿って更に床スラブに沿って連続した気密層を形成することが出来る。
【００８０】
躯体を構成する構造部材を気密層を形成するための部材として利用することによって、該構造部材に対する断熱材の対向位置を自由に設定することが出来、例えば梁のせい、柱の太さの範囲で壁、天井の空間寸法を選択することが出来る。このため、壁内や天井に電線類や配管類を設置する際の自由度を向上させることが出来る。
【００８１】
気密性を有する断熱材を構造部材に接続して気密層を形成することから、従来の気密シートを必要とせず、従って気密層を形成する際の施工が簡単で、且つ後工程となる木下地パネル等の施工に支障をきたすことがない。
【００８２】
断熱材としてフェノール樹脂発泡体を含む硬質プラスチック系断熱材を用いることによって、気密性能に合わせて断熱性能を発揮することが出来る。
【図面の簡単な説明】
【図１】本実施例に係る気密構造の構成を説明する図である。
【図２】外壁に沿って配置された断熱材と屋根に沿って配置された断熱材と梁との関係を説明する図である。
【図３】階層間に於ける梁と断熱材との関係を説明する図である。
【図４】屋根に沿って配置された断熱材と梁及び柱との関係を説明する図である。
【図５】屋根に沿って配置された断熱材と梁との関係を説明する図である。
【図６】外壁に沿って配置された断熱材と床との関係を説明する図である。
【図７】外壁に沿って配置された断熱材と柱との関係を説明する図である。
【符号の説明】
１　　　　　　　　　　梁
１ａ　　　　　　　　　フランジ
１ｂ　　　　　　　　　ウエブ
１ｃ　　　　　　　　　穴
２　　　　　　　　　　柱
２ａ，２ｂ　　　　　　側面
３　　　　　　　　　　床スラブ
４，５　　　　　　　　断熱材
６　　　　　　　　　　外壁パネル
７　　　　　　　　　　屋根パネル
８，１２，２９　　　　　　断熱材
９　　　　　　　　　　間隙
１０　　　　　　　　　　気密テープ
１１　　　　　　　　　　木下地
１３〜１５　　　　　　　　保護材
１６　　　　　　　　　　木下地パネル
１７　　　　　　　　　　内装下地
１８　　　　　　　　　　固定金物
１９　　　　　　　　　　木下地
２０　　　　　　　　　　天井下地
２１　　　　　　　　　　天井内装材
２５　　　　　　　　　　床パネル
２６　　　　　　　　　　モルタル
２７　　　　　　　　　　合板
３０　　　　　　　　　　セルフレベリング材
３５　　　　　　　　　　耐震要素
３６　　　　　　　　　　パッキン材
【図１】
2004076314.tif 000003
【図２】
2004076314.tif 000004
【図３】
2004076314.tif 000005
【図４】
2004076314.tif 000006
【図５】
2004076314.tif 000007
【図６】
2004076314.tif 000008
【図７】
2004076314.tif 000009